(57)【要約】【課題】  停電や瞬断後における画像形成装置の電源供給状態を、停電や瞬断前の電源供給状態に復帰させる。【解決手段】    情報処理装置と通信する通信手段と、通信手段および画像形成手段に電力を供給する電力供給手段とを備える画像形成装置において、通信手段および画像形成手段に電力が供給される通常電力状態から、画像形成手段への電力供給が停止され且つ通信手段に電力が供給される省電力状態へ移行させる移行させる。その際、電力状態であることを示す情報を不揮発性の記憶手段に記憶させておく。そして、通信手段および画像形成手段への電力供給が遮断された状態から復帰する場合、記憶手段に記憶された電力制御情報に基づいて、前記通常電力状態、または省電力状態のいずれかの状態になるように移行させる工程を制御する。【選択図】  図７
2014104654.tif 000002
【特許請求の範囲】
【請求項１】
情報処理装置と通信する通信手段と、
前記通信手段および画像形成手段に電力を供給する電力供給手段と、
前記通信手段および前記画像形成手段に電力が供給される通常電力状態から、前記画像形成手段への電力供給が停止され且つ前記通信手段に電力が供給される省電力状態へ移行させる移行手段と、
前記移行手段により前記省電力状態に移行された場合に、前記省電力状態であることを示す情報を記憶する不揮発性の記憶手段と、を備え、
前記通信手段および前記画像形成手段への電力供給が遮断された状態から復帰する場合、前記記憶手段に記憶された前記電力制御情報に基づいて、前記通常電力状態、または前記省電力状態のいずれかの状態になるように前記移行手段を制御する制御手段と、
を備えることを特徴とする画像形成装置。
【請求項２】
前記電力供給手段からの電力供給が遮断される要因は、前記画像形成装置の電源スイッチをオフ指示した場合、商用電源が瞬断した場合、前記商用電源に設定された電流制限を超えた場合を含むことを特徴とする請求項１記載の画像形成装置。
【請求項３】
前記通信手段は、前記記憶手段を備えることを特徴とする請求項１記載の画像形成装置。
【請求項４】
情報処理装置と通信する通信手段と、前記通信手段および画像形成手段に電力を供給する電力供給手段と、を備える画像形成装置の制御方法であって、
前記通信手段および前記画像形成手段に電力が供給される通常電力状態から、前記画像形成手段への電力供給が停止され且つ前記通信手段に電力が供給される省電力状態へ移行させる移行工程と、
前記移行手段により前記省電力状態に移行された場合に、前記省電力状態であることを示す情報を不揮発性の記憶手段に記憶させる記憶工程と、を備え、
前記通信手段および前記画像形成手段への電力供給が遮断された状態から復帰する場合、前記記憶手段に記憶された前記電力制御情報に基づいて、前記通常電力状態、または前記省電力状態のいずれかの状態になるように前記移行工程を制御する制御工程と、
を備えることを特徴とする画像形成装置の制御方法。
【発明の詳細な説明】
【技術分野】
【０００１】
本発明は、省電力制御を行う画像形成装置、画像形成装置の制御方法に関するものである。
【背景技術】
【０００２】
コピー機能、プリント機能、ＦＡＸ機能、ネットワーク機能等を備える複合機能を有する画像形成装置がある。その画像形成装置において、装置の起動を行うためには、まず、装置の電源スイッチの投入を行う。その操作により、装置の電源が、各機能処理を行うデバイスに行きわたり、例えば、コピーやプリント機能の実現が可能となる。この状態は、画像形成装置のスタンバイ状態である。
一般的に、画像形成装置における上記のスタンバイ状態に対して、装置の省電力電源制御を行うために、さらに装置が低電力となるための、スリープモードを備えている。
【０００３】
通常起動となる電源スイッチ投入からのスタンバイモードまでの立ち上げ時間は、起動ソフトウエアの立ち上げ時間等が必要になるため、時間を必要とする。それと比較し、スリープモードからスタンバイモードへの復帰時間は通常起動と比較して、短い時間での動作が可能となっている。
なぜなら、スリープモードにおいて、装置のメモリおよびネットワーク部などの限定された部分にのみ通電し、プログラムの記憶されているメモリに電気が常時通電されている。そのため、プログラムをすぐに読み出すことが可能となり、高速な制御を行うことで、短い時間での動作が可能となるからである。また、スタンバイモードは装置の全体に電力を供給しているため、高い消費電力量が必要になることに対して、スリープモードは、電源の供給を限定しているため、省電力制御が可能である。
【０００４】
この装置における電力制御において、スリープモード時に、停電や瞬間的な電源の低下による瞬断が発生した場合、装置の電源復帰方法として、電源スイッチ投入から装置の起動が行われる通常起動が行われる。
【０００５】
そのため、停電や瞬断時においても毎回、通常起動によって装置の電源が最初から立ち上るため、起動状態は、停電や瞬断時に使用し、設定していた状態に戻ることができなく、通常起動による初期状態となってしまっていた。この問題を解決するために、各特許文献１において、停電や瞬断の発生時における電源ＯＦＦから電源ＯＮによる復旧までの停電時間を計測し、所定時間内であれば、停電前の動作状態に復帰させる処理を行う手順が提案されている。
【先行技術文献】
【特許文献】
【０００６】
【特許文献１】特開平７−１４６６３０号公報
【発明の概要】
【発明が解決しようとする課題】
【０００７】
しかしながら、上記従来例では、停電前の動作モードの設定を停電の状態から復帰させた時、停電後の動作モードについても停電前と同一モードに復帰させている。
ただし、画像形成装置の電源は通常起動で立ち上げている。そのため、電力を必要以上に消費してしまうことがある。また、装置の停電や瞬断に関して、電力事情の悪い地域では、該当する事象が多発するため、毎回、装置の通常起動が行われる。それにより、電力を必要以上に消費してしまうことになる。
【０００８】
本発明は、上記の課題を解決するためになされたもので、本発明の目的は、停電や瞬断後における画像形成装置の電源供給状態を、停電や瞬断前の電源供給状態に復帰させることが可能となる仕組みを提供することである。
【課題を解決するための手段】
【０００９】
上記目的を達成する本発明の画像形成装置は以下に示す構成を備える。
情報処理装置と通信する通信手段と、前記通信手段および画像形成手段に電力を供給する電力供給手段と、前記通信手段および前記画像形成手段に電力が供給される通常電力状態から、前記画像形成手段への電力供給が停止され且つ前記通信手段に電力が供給される省電力状態へ移行させる移行手段と、前記移行手段により前記省電力状態に移行された場合に、前記省電力状態であることを示す情報を記憶する不揮発性の記憶手段と、を備え、前記通信手段および前記画像形成手段への電力供給が遮断された状態から復帰する場合、前記記憶手段に記憶された前記電力制御情報に基づいて、前記通常電力状態、または前記省電力状態のいずれかの状態になるように前記移行手段を制御する制御手段と、を備えることを特徴とする。
【発明の効果】
【００１０】
本発明によれば、停電や瞬断後における画像形成装置の電源供給状態を、停電や瞬断前の電源供給状態に復帰させることができる。
【図面の簡単な説明】
【００１１】
【図１】本実施形態を示す画像形成装置の構成を示すブロック図である。
【図２】図１に示したコントローラ部、ネットワーク部、記憶部の構成図である。
【図３】図１に示したネットワーク部の構成を説明するブロック図である。
【図４】画像形成装置の制御方法を説明するフローチャートである。
【図５】画像形成装置の制御方法を説明するフローチャートである。
【図６】画像形成装置の制御方法を説明するフローチャートである。
【図７】画像形成装置の制御方法を説明するフローチャートである。
【発明を実施するための形態】
【００１２】
次に本発明を実施するための最良の形態について図面を参照して説明する。
＜システム構成の説明＞
〔第１実施形態〕
図１は、本実施形態を示す画像形成装置の構成を示すブロック図である。本例は、ネットワーク９を介してクライアントＰＣ１０と通信してジョブ処理を受付可能な画像形成装置例を示す。なお、本例は、後述する複数の機能処理を実行可能な複合機の例を示す。
【００１３】
図１において、コントローラ部１は、後述のスキャナ部４で読み取った画像データの処理を行う。プリンタ部２は印刷を行うための画像データの処理などを行う。ネットワーク部３は、ネットワーク９を介してクライアントＰＣ１０等の外部装置とのデータの送受信の制御等を行う。
スキャナ部４は、載置されるシート、あるいは図示しない原稿給装装置から搬送されるシートの原稿画像を読み取り、読み取った画像データの生成等を行う。ファクシミリ部５は、ファクシミリ回線により接続されたファクシミリ装置とのデータの送受信の制御等を行う。なお、ファクシミリ部５は、公衆回線経由あるいはネットワーク経由でのファクシミリ通信機能を備える。
【００１４】
記憶部６は、ストレージとして機能するハードディスクドライブ等で構成されており、スキャナ部４で読み取った画像データや印刷データの格納など、様々なデータや各機能処理に必要なアプリケーションの格納に使用する。操作部７は、不図示のオペレーションパネルを制御し、各種情報の表示、使用者からの指示入力を行う。内部バス８は、コントローラ部１からの制御信号や各装置間のデータ信号が送受信されるシステムバスである。
【００１５】
図２は、図１に示したコントローラ部１、ネットワーク部３および記憶部６の構成図である。
図２にいて、コントローラ部１内では、ＣＰＵ＿Ｃ２１は、コントローラ部１の内部バスに接続され、その内部バスを介して、ＲＯＭ＿Ｃ２３、ＲＡＭ＿Ｃ２４、ＩＯ部２２がある。また、コントローラ部１はネットワーク部３とＨＤＤ等で構成されている記憶部６と内部バスを介して接続されている。コントローラ部１のリレースイッチ２６は、後述するリレースイッチＯＮ信号で応答し、スイッチがＯＮされる。その起動により、電源２５が通電し、電源２５からコントローラ部のＩＯ部２２を介してコントローラ部１を含む画像形成装置に必要な電源が供給される。
【００１６】
図３は、図１に示したネットワーク部３の構成を説明するブロック図である。本実施形態では、ネットワーク部３が情報処理装置（ホストコンピュータ１０）と通信する例である。電源３８からネットワーク部３と、画像形成手段のコントローラ部１に電源を供給する例である。
図３において、ネットワーク部３の処理は、ＣＰＵ＿Ｎ３１で行われる。また、ネットワーク部３のプログラムおよび、格納データを保存するためのＲＯＭ＿Ｎ３２、ＲＡＭ＿Ｎ３３がある。外部のネットワークと接続されるＰＨＹ３４の周辺には、ＭＡＣ３５、ＦＩＦＯ３６がある。ネットワーク部３がデータを受信する場合は、以下の動作を行う。
まず、物理層となるＰＨＹ３４を経由し、メディアアクセス制御を行うＭＡＣ３５、においてデータを受信し、ＦＩＦＯメモリ（ＦＩＦＯと記す）３６の受信バッファにデータが格納される。
【００１７】
なお、本実施形態で、瞬断とは、電源状態が気象変化で突然停電したり、配線設備工事等で作業者が誤ってブレーカーを落としてしまうとか、複数の画像形成装置の起動することによる突入電流でブレーカーが落ちたりすることに起因するものが含まれる。また、タップに複数の画像形成装置のコンセントが接続され、複数の画像形成装置が同時に画像形成処理を開始することで、制限電流を超える等で安全回路が作動して電源が瞬断する等も含まれる。よって、瞬断とは、これらの事象が単独あるいは組合わされて起こり得るものである。
【００１８】
そこで、本実施形態では、上記要因等で電源が瞬断しても、瞬断前の電力供給状態、例えば通常の状態（スタンバイ状態）であるのか、それとも、消費電力が通常よりも少ない省電力モード（スリープ状態）であるのかを示す電力制御情報（後述するスリープフラグ）をＲＯＭ＿Ｎ３２に記憶させて管理する。なお、ＲＯＭ＿Ｎ３２は、書き込み可能な不揮発性メモリで構成され、例えばＥＥＰＲＯＭ等が好例である。ただし、ＥＥＰＲＯＭに限定されるものではなく、ＮＶＲＡＭ等で構成することも可能である。また、スリープモードについては、更に消費電力を抑えるディープスリープモードへ移行する画像形成装置もある。
なお、本実施形態では、スリープモードと通常モードの２つのモードについて制御する例を示すが、上記ディープスリープモードをも対応可能に構成してもよい。
【００１９】
ネットワーク９を介して受信データはコントローラＮ３７を経由して、ＲＡＭ＿Ｎ３４に格納され、ＣＰＵ＿Ｎ３１は本体コントローラへデータの転送を行っている。また、スキャナ読み取りデータなどにおける、ネットワークデータ送信の場合は送信データがコントローラＮ３７を介して、ＲＡＭ＿Ｎ３３に格納される。
続いて、ＣＰＵ＿Ｎ３１は、送信データをＲＡＭ＿Ｎ３４から読み出して、コントローラＮ３７を経由して、ＦＩＦＯ３６の送信バッファに格納される。その後、送信データはＭＡＣ３５および物理層ＰＨＹ３４を経由し、外部ネットワークへ送信される。以上のような動作が行われる。３９は主電源スイッチである。４０はリレーで、コントローラＮ３７からの指示に基づいて商用電源（ＡＣ）の入切りを制御する。
【００２０】
〔電源立ち上げの手順〕
図４は、本実施形態を示す画像形成装置の制御方法を説明するフローチャートである。本例は、画像形成装置における通常起動における電源立ち上げの手順例に対応する。なお、（Ａ）はネットワーク部３側の処理に対応し、（Ｂ）は、コントローラ部１、プリンタ部２およびスキャナ部４側の処理に対応する。ここで、各フローチャートのステップは、各部のＣＰＵがＲＯＭ等に記憶された制御プログラムを実行することで実現される。まず、図１、図３におけるネットワーク部３の動作の説明を行う。
【００２１】
ユーザが図３に示した主電源スイッチ３９をＯＮして電源を投入する。すると、Ｓ３０１で、主電源スイッチ３９がＯＮされたことを検知し、電源３８を介して、ネットワーク部３に電源が投入される（Ｓ３０２）。図３に示したネットワーク部３に電源が投入されると、コントローラＮ３７を介して、ネットワーク部３の制御をつかさどるＣＰＵ＿Ｎ３１は本画像形成装置の設定情報等を格納しているＲＯＭ＿Ｎ３２の読み出しを行う（３９０３）。ここで、ＲＯＭ＿Ｎ３２は、例えばｅｌｅｃｔｒｉｃａｌ  ａｌｔｅｒａｂｌｅ  ＲＯＭタイプで構成され、情報の書き込みと読み出しとが可能なメモリである。
【００２２】
ＲＯＭ＿Ｎ３２には電源の設定情報を含む各種設定情報が記憶されている。その電力制御情報として、スリープフラグと装置および本体の設定情報が格納されている。スリープフラグは、画像形成装置の電源設定状態がスリープ状態であるか、通常起動状態であるかを示すフラグになっており、１ビットの設定情報で構成されている。
そして、画像形成装置がスリープ状態の場合は、"１"に、通常起動状態の場合は"０"に設定されている。また、デフォルト値は、通常起動状態の場合は"０"に設定されている。
【００２３】
そこで、ＣＰＵ＿Ｎ３１はＲＯＭ＿Ｎ３２の読み出しにおいて、画像形成装置の起動情報があるかどうかの判断を行う（Ｓ３０４）。そして、起動情報の読み出しにおいて、通常起動状態の設定情報となる"０"の場合が読み出されたとＣＰＵ＿Ｎ３１が判断した場合、Ｎｏと判断され、Ｓ３０５へ進む。そして、ネットワーク部３は画像形成装置の通常起動の状態に移行させるため、ＣＰＵ＿Ｎ３１はコントローラＮ３７を介して、物理層ＰＨＹ３４とＭＡＣ３５のリセットを行い、ＦＩＦＯ３６の送信バッファおよび受信バッファのメモリのクリヤを行う。
それらの実行により初期化動作（通常起動動作）を行い（Ｓ３０６）、ネットワーク受信の準備が整うことになる。また、ＣＰＵ＿Ｃ２１から、ＩＯ２２を介して、ネットワークの初期化設定を行うことにより、ネットワーク送信の準備が整うことになる。
【００２４】
これらにより、ネットワーク送受信機能動作が可能となる。これで、外部ネットワークからのジョブの受信待ち、または画像形成装置からのジョブ送信待ち状態に設定される。なお、Ｓ３０４において、電源起動情報がＲＯＭ＿Ｎ３２に格納されているとＣＰＵ＿Ｎ３１が判断した場合、すなわち、本ステップで、ＹＥＳとなるスリープ状態の場合については図７で説明する。
【００２５】
今、ネットワーク機能を担うネットワーク部３が立ち上がり、これに引き続き、画像形成装置のプリンタ部２およびスキャナ部４側における動作の説明を行う。
先ほどのＳ３０５の処理において、ネットワーク部３は、ＣＰＵ＿Ｎ３１が、画像形成装置のプリンタ部２およびスキャナ部４側の電源を投入するため、コントローラＮ３７を介して、コントローラ部１側の電源投入を行う。そのため、コントローラＮ３７からリレースイッチＯＮ信号をコントローラ部１に送信する。
【００２６】
コントローラ部１のリレースイッチ２６は、先ほどのリレースイッチＯＮ信号Ｒ１で応答し、リレースイッチ２６がＯＮされる。その起動により、電源３８から通電し、電源２５からコントローラ部のＩＯ部２２を介してコントローラ部１を含む画像形成装置に電源が供給される（Ｓ３０７）。
【００２７】
コントローラ部１の制御を司るＣＰＵ＿Ｃ２１は、本画像形成装置のプログラムを格納しているＲＯＭ＿Ｃ２３の読み出しを行う。次に、コントローラ部１のＣＰＵ＿Ｃ２１はＩＯ２２を介して、記憶部６のハードディスクに格納されているＯＳを起動するためのプログラムを読み出し、ＩＯ２２を介して、コントローラ部１のＲＡＭ＿Ｃ２４に書き込みを行う。このＯＳを起動するための書き込みが終わると、ＲＡＭ＿Ｃ２４に書き込まれたプログラムの実行を行い、ＯＳの起動を行う（Ｓ３０８）。
【００２８】
その後、ＣＰＵ＿Ｃ２１は、図１における、プリンタ部２、スキャナ部４、ＦＡＸ部５、操作部７の起動を行い（Ｓ３０９）、本画像形成装置のこれらの機能の設定のすべてはそれぞれ、各機能の準備が整ったことをコントローラ部１のＣＰＵ＿Ｃ２１に通知する。
ＣＰＵ＿Ｃ２１は、これらの通知を確認することで、コピー動作を実行することが可能となり、コントローラ部１は、画像形成装置の本体の準備が整ったことを操作部７に通知し、操作部７において"コピーできます"の表示を実行する（Ｓ３１０）。この状態は画像形成装置のスタンバイ状態となり、コピーをすぐに実行可能な状態であるため、消費電力は高い状態となっている。以上は、画像形成装置の通常起動における説明である。
【００２９】
〔電源立ち下げ（シャットダウン）の手順〕
図５は、本実施形態を示す画像形成装置の制御方法を説明するフローチャートである。本例は、画像形成装置における通常起動における電源立ち上げの手順例に対応する。なお、（Ａ）はネットワーク部３側の処理に対応し、（Ｂ）は、コントローラ部１、プリンタ部２およびスキャナ部４側の処理に対応する。ここで、各フローチャートのステップは、各部のＣＰＵがＲＯＭ等に記憶された制御プログラムを実行することで実現される。以下、本画像形成装置における電源立ち下げ（シャットダウン）の手順について説明する。
【００３０】
まず、画像形成装置本体の電源が投入されているスタンバイなどの状態において、図３の主電源スイッチ３９がＯＦＦされる（Ｓ４０１）。主電源スイッチ３９はネットワーク部３のコントローラＮ３７に接続されているため、主電源スイッチ３９の切断をコントローラＮ３７が検知すると、リレー４０をＯＮにすることにより、すぐに電源を切断は行わない。その理由は、画像形成装置本体が次の主電源スイッチ３９の投入時に正しく立ち上げるために、本画像形成装置の起動準備を行うためである。
【００３１】
よって、主電源スイッチ３９をＯＦＦする動作は電源シャットダウンが開始される起動トリガとなる（Ｓ４０２）。ネットワーク部３のコントローラＮ３７は、主電源スイッチ３９のＯＦＦにより、電源３８はシャットダウン開始トリガの検知を行う。そして、ネットワーク部３のＣＰＵ＿Ｎ３１は、本画像形成装置本体のコントローラ部１にシャットダウン開始トリガを送信する。
【００３２】
また、シャットダウンシーケンスに入ったことにより、ネットワーク部３のＣＰＵ＿Ｎ３１は、ＲＯＭ＿Ｎ３２に設定している電源フラグの読み出しを行う。電源フラグを読み出した値が、通常起動状態の場合は、そのままの設定を保持し、スリープ状態の場合は、このシャットダウン時に通常起動状態の値をＲＯＭ＿Ｎ３２に書き込んで、本処理を終了する。その理由は、次の電源立ち上げ時に確実に通常起動を行うためである。
【００３３】
続けて、画像形成装置のプリンタ部２やスキャナ部４側のシャットダウン処理について述べる。
Ｓ４０２で、ネットワーク部３から送られたシャットダウントリガをコントローラ部１で受け取る。そして、コントローラ部１のＣＰＵＣＰＵ＿Ｃ２１は、本体シャットダウンを開始する（Ｓ４０４）。コントローラ部１にあるＣＰＵ＿Ｃ２１は、ＲＯＭ＿Ｃ２３の起動設定を読み出し、起動時設定に書き換えを行う。これらの終了設定が完了したら、ＣＰＵ＿Ｃ２１に通知を行う（Ｓ４０５）。ＣＰＵ＿Ｃ２１は、ネットワーク部３のＣＰＵ＿Ｎ３１にネットワーク部以外の終了設定が完了したことを通知する。そして、ＣＰＵ＿Ｎ３１はコントローラＮ３７からリレースイッチ２６をＯＦＦおよび自身の電源ＯＦＦのためリレー４０のＯＦＦ処理を行う。
これで、画像形成装置の電源がシャットダウンされ、同時に操作部７の電源も切断され、すべての電源はＯＦＦとなり画像形成装置本体のシャットダウン処理が完了することになる。
〔スリープモードへの移行手順〕
図６は、本実施形態を示す画像形成装置の制御方法を説明するフローチャートである。本例は、画像形成装置におけるリープモードへの移行手順例に対応する。なお、（Ａ）はネットワーク部３側の処理に対応し、（Ｂ）は、コントローラ部１、プリンタ部２およびスキャナ部４側の処理に対応する。ここで、各フローチャートのステップは、各部のＣＰＵがＲＯＭ等に記憶された制御プログラムを実行することで実現される。以下、本画像形成装置におけるスリープモードへの移行手順について説明する。具体的には、画像形成手段の処理状態に基づいて、電源３８から画像形成手段のコントローラ部１に供給する電源を停止させ、ネットワーク部３には電源を供給する省電力状態へ移行させる例である。
【００３４】
なお、本実施形態において、スリープモードとは、ネットワーク９からジョブが投入されたときに、できるだけ早く本画像形成装置を立ち上げて動作が可能な状態にしておくモードのことである。
さらに、スリープモードとは、画像形成装置本体の電力をできるだけ低電力化させておくモードである。そのため、本体のコントローラ部１は、ＲＡＭ＿Ｃ２４におけるプログラムの保持と、操作部７のパネル操作の認識、および、ネットワーク部３からのジョブの通知の認識となる以上の必要最小限の電力で構成する。ネットワーク部３は通電が行われている。
【００３５】
そこで、スリープモードへの移行のために、まず、画像形成装置本体の電源が投入され、ＣＰＵ＿Ｃ２１が通常電源立ち上げによる初期設定が行われる（Ｓ６０５）。その後、画像形成装置本体の通常起動処理が行われ、スタンバイ状態となる（Ｓ６０６）。画像形成装置本体はスタンバイ状態となった時、他の処理が一定時間行われない場合、スリープ状態に移行する処理を行う。
スリープ状態に移行する設定時間は、操作部７よりユーザによる設定が可能となっており、例えば、製品出荷時のデフォルトの設定時間は１５分となっている。Ｓ６０６において、画像形成装置本体がスタンバイ状態になった時に、スタンバイ完了の通知をコントローラ部１のＣＰＵ＿Ｃ２１は受信し、保持しておく。
【００３６】
次に、ＣＰＵ＿Ｃ２１は、図示しないカウンタを用いて、スリープモード移行のための時間をカウントするためのカウント開始を行う。ＣＰＵ＿Ｃ２１のカウント機能でスリープ移行の設定時間分のカウントを行う（Ｓ６０７）。カウンタが設定時間のカウントが完了したら、ＣＰＵ＿Ｃ２１はスリープモード移行の処理実行に関して、ＩＯ２２を介して、ネットワーク部３へ通知を行う（Ｓ６０８）。そして、本画像形成装置は、スリープ状態へ移行する。
また、ネットワーク部３において、ＣＰＵ＿Ｎ３１は外部ネットワークからのジョブ受付待ちスタンバイ状態において（Ｓ６０１）、スリープ移行の設定があるかどうかの判断を行う（Ｓ６０２）。これは、コントローラＮ３７にコントローラ部１からのスリープ移行通知が届くのを待っている状態である。
【００３７】
ここで、画像形成装置本体のコントローラ部１からスリープ移行通知が発生しないとＣＰＵ＿Ｎ３１が判断した場合は、繰り返し判断を待つ状態となる。また、スリープ移行通知がコントローラ部１からコントローラＮ３７に通知があると（Ｓ６０２）、ネットワーク部３のスリープ設定を行う。そのため、ネットワーク部３のコントローラＮ３７で本体からのスリープ移行通知を受信する。そして、ＣＰＵ＿Ｎ３１は、ＲＯＭ＿Ｎ３２の電源の設定情報フラグの読み出しを行う。具体的には、読み出し値が通常起動状態の場合、ＣＰＵ＿Ｎ３１は設定情報フラグをスリープ状態へ書き換えを行う（Ｓ６０３）。このフラグ情報により、画像形成装置本体の電源状態が設定されることになる。これにより、電源３８の電源供給状態が通常の状態または省電力状態のいずれの状態であるかを判別するための電力制御情報がＲＯＭ＿Ｎ３２に記憶される。
その後、ネットワーク部３は外部ネットワークからのジョブ受付待ちとなるＰＨＹ３４、ＭＡＣ３５、ＦＩＦＯ３６の受信部分のみ起動しておき、ジョブまちには不要な部分の省電力制御をコントローラＮ３７で行い、スリープ移行処理が行われる（Ｓ６０４）。以上のようにして、画像形成装置とネットワーク部のスリープ移行が行われる。
【００３８】
〔電源復帰手順〕
図７は、本実施形態を示す画像形成装置の制御方法を説明するフローチャートである。本例は、画像形成装置の電源スリープ状態における停電および瞬断が発生した場合の装置の電源復帰手順例に対応する。なお、（Ａ）はネットワーク部３側の処理に対応し、（Ｂ）は、コントローラ部１、プリンタ部２およびスキャナ部４側の処理に対応する。ここで、各フローチャートのステップは、各部のＣＰＵがＲＯＭ等に記憶された制御プログラムを実行することで実現される。以下、本画像形成装置における電源復帰手順への移行手順について説明する。具体的には、ＲＯＭ＿Ｎ３２に記憶された電力制御情報に従い、電源３８の電源供給状態を通常電力状態、または省電力状態のいずれかの状態になるように移行処理を制御する例を説明する。
【００３９】
本画像形成装置のネットワーク部の動作において、本体コントローラ部１からのスリープモード移行通知を、ネットワーク部のコントローラＮ３７で受け取る（Ｓ７０１）。ＣＰＵ＿Ｎ３１は、ＲＯＭ＿Ｎ３２の電源の設定情報フラグの読み出しを行う。読み出し値が通常起動状態であることから、スリープ状態のフラグの書き込みを行う（Ｓ７０２）。その後、本画像形成装置はスリープ状態となり、ネットワーク部３はＰＨＹ３４からのネットワーク経由のジョブ処理待ちのモードとなる（Ｓ７０３）。この状態において、停電、瞬断の判断を行う（Ｓ７０４）。なお、停電、瞬断の事象が起きた場合、本画像形成装置のすべての電源が落て電力供給が遮断される。
【００４０】
そして、Ｓ７０５で、画像形成装置自体が再起動を開始する。ここでは、図３における主電源スイッチ３９のＯＮからＯＦＦあるいは、ＯＦＦからＯＮの切り替えは行われていない。
よって、電源が落ちたままの状態から電源３３から各部への通電が行われる。ここで、主電源スイッチ３９の切り替えなく電源が投入されると、本画像形成装置では、ネットワーク部３のコントローラＮ３７はリセット信号を生成し、ネットワーク部３のリセットを行う。その後、ＣＰＵ＿Ｎ３１は、ＲＯＭ＿Ｎ３２の電源の設定情報フラグの読み出してその内容を確認する（Ｓ７０６）。
【００４１】
今回の本画像形成装置は、停電、瞬断前の状態は、スリープ状態であったため、スリープ状態がＲＯＭ＿Ｎ３２に設定されており、ＲＯＭ＿Ｎ３２の電源フラグにおいて、スリープ状態の値が読み出される。ここで、ＣＰＵ＿Ｎ３１は、スリープフラグの判断を行う。ＣＰＵ＿Ｎ３１は、スリープ状態の値が読み出すと、Ｓ７０８へ進む。
この場合、ネットワーク部３はスリープ状態で立ちあがることから、ＣＰＵ＿Ｎ３１は、スリープモードで動作を行う。ネットワーク部３のみ動作させ、ジョブ処理待ちのモードとなる。この場合、動作はネットワーク部３のみ動作させ、ＣＰＵ＿Ｎ３１は、コントローラ部１に起動の通知を行わないため、電力消費を通常の電源投入時のように、本体側のＣＰＵ＿Ｃ２１を動作させることはない。また、ＣＰＵ＿Ｎ３１は電源の設定情報フラグにおいて、通常起動状態が読み出された場合、Ｓ７１６へ飛び、通常起動モードで起動する。これにより、画像形成装置に接続される電源系統において停電、瞬断等の障害が発生した場合であっても、その直前の電力状態に適応して起動処理を切替制御することが可能となる。つまり、停電、瞬断等の障害が発生した場合の再起動時に、スリープモードであった場合には、再起動時にネットワーク部以外への通電が制限され、その分、より省電力効果を高めることができる。
【００４２】
そのために、まず、コントローラ部１にリレースイッチ２６および、電源２５を介して、コントローラ部１に電源を投入する。ＣＰＵ＿Ｎ３１は、コントローラ部１に起動の通知を行い、本体側コントローラ部１はリセット信号を生成し、コントローラ部１のリセットを行う。これより、ＣＰＵ＿Ｃ２１は通常起動を行う。そして、本画像形成装置に電源を投入し、初期設定を行う。その後、ＣＰＵ＿Ｎ３１は、ネットワーク部３のジョブ受け付け処理待ちの判断となる（Ｓ７０９）。そして、ネットワーク部３にジョブが受け付けられると、処理方法を決定する（Ｓ７１０）。
以上のようにして、スリープ時に停電、瞬断が発生した場合の電源立ち上げシーケンス処理が行われる。
【００４３】
いか、電源復帰処理時における本画像形成装置側の処理を述べる。
スリープモードに移行するまでの処理として、本画像形成装置側の立ち上げ時に初期設定が行われる（Ｓ７１１）。その後、本体に設定されているスリープ移行時間経過後、スリープモードへ電源状態が移行する。
【００４４】
この状態では、通電デバイスとして、ＲＡＭ＿Ｃ２４に現在のプログラムが格納され、ＣＰＵ＿Ｃ２１とＩＯ２２の一部に電源が供給されるため、電源が低電力の状態となる。この状態で、停電、瞬断の判断を行う（Ｓ７１３）。ここで、ＣＰＵ＿Ｃ２１が停電、瞬断のないと判断した場合はＳ７１２へ戻る。この時、本画像形成装置のプリンタ部２やスキャナ部４側はスリープモードの状態となっており、本画像形成装置で機能している部分はネットワーク部３からのジョブ待ち動作である。
【００４５】
そして、Ｓ７０９で、ネットワーク部３のＣＰＵ＿Ｎ３１がジョブを受付けると、ネットワーク部３のＣＰＵ＿Ｎ３１は、コントローラＮ３７を介して、本体コントローラ部１に通知を行い、電源の起動を行う。ＣＰＵ＿Ｃ２１は、リセットを発生させコントローラ部１の起動を行い（Ｓ７１４）、スタンバイモードへの立ち上げを行う。その後、ネットワーク部３からの受け付けたジョブの処理を行い（Ｓ７１５）、ジョブ処理終了後、スリープモードへの移行を行う。
上記制御では、電源３８からの電源供給を停止した後、電源供給を開始する場合、ＲＯＭ＿Ｎ３２に記憶された電力制御情報に従い、電源３８の電源供給状態を通常の状態、または省電力状態のいずれかの状態に復帰させる制御例を示した。
以上が本画像形成装置のスリープ状態において、停電および瞬断が発生した場合の装置における電源復帰手順とジョブ処理の説明である。
なお、電源３８からの電源供給を停止する要因は、画像形成手段が備える電源スイッチをオフ指示した場合、商用電源が瞬断した場合、商用電源に設定された電流制限を超えた場合を含むものとする。
【００４６】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００４７】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００４８】
１  コントローラ部
２  プリンタ部
３  ネットワーク部
４  スキャナ部
１０  ホストコンピュータ
【図１】
2014104654.tif 000003
【図２】
2014104654.tif 000004
【図３】
2014104654.tif 000005
【図４】
2014104654.tif 000006
【図５】
2014104654.tif 000007
【図６】
2014104654.tif 000008
【図７】
2014104654.tif 000009